(57)【要約】【課題】システム性能を向上しつつ、受信側における反復復号回数の低減によるターボ復号の負担軽減を実現可能な通信装置を得ること。【解決手段】本発明にかかる通信装置は、無線アクセス技術としてＯＦＤＭを、誤り訂正方式としてターボ符号を、採用する無線通信システムにおけるデータ受信側の通信装置であって、データ送信側の通信装置により割当てられたリソースブロック毎に、受信符号系列の無線回線品質を測定する品質測定器（２９）と、２つのデコーダを用いて反復復号を行い、送信データを再生する２種類の復号手段（４２，４３）と、測定結果として得られる無線回線品質に基づいていずれか一方の復号手段を選択するスイッチ手段（４１）と、を備え、２種類の復号手段（４２，４３）とスイッチ手段（４１）でターボ復号器を形成することを特徴とする。【選択図】        図４
2008187605.tif 000002
【特許請求の範囲】
【請求項１】
無線アクセス技術としてＯＦＤＭを採用し、誤り訂正方式としてターボ符号を採用する無線通信システムにおけるデータ受信側の通信装置であって、
データ送信側の通信装置により割当てられたリソースブロック毎に、受信符号系列の無線回線品質を測定する品質測定手段と、
２つのデコーダを用いて反復復号を行い、送信データを再生する２種類の復号手段と、
前記測定結果として得られる無線回線品質に基づいていずれか一方の復号手段を選択する選択手段と、
を備え、
前記２種類の復号手段と前記選択手段でターボ復号器を形成することを特徴とする通信装置。
【請求項２】
前記ターボ符号器は、前記２種類の復号手段として、
第１のデコーダが演算した尤度を第２のデコーダに入力する構成を有しかつ「第１のデコーダ→第２のデコーダ」の順で反復復号を行う第１の復号手段と、
第２のデコーダが演算した尤度を第１のデコーダに入力する構成を有しかつ「第２のデコーダ→第１のデコーダ」の順で反復復号を行う第２の復号手段と、
を有し、
前記選択手段は、
前記２種類の復号手段の中から、無線回線品質の良好な符号系列から先に復号動作を開始する復号手段を選択することを特徴とする請求項１に記載の通信装置。
【請求項３】
前記品質測定手段は、リソースブロック毎の無線回線品質に関する情報を前記送信側の通信装置に対して送信することを特徴とする請求項１または２に記載の通信装置。
【請求項４】
請求項３に記載の受信側の通信装置から無線回線品質に関する情報を受信するデータ送信側の通信装置であって、
受信した無線回線品質に関する情報に基づいて、リソースブロックの割当て方法および割当てられたリソースブロック内での符号系列の割当て方法を決定するスケジューラ手段と、
前記スケジューラ手段が決定した割当て方法に従って送信符号系列を所定のリソースブロックに割当てるマッピング手段と、
を備えることを特徴とする通信装置。
【請求項５】
前記スケジューラ手段は、
前記無線回線品質に関する情報に基づいて３つのリソースブロックを割当て、
さらに、最も無線回線品質が良好なリソースブロックに、ターボ符号における情報ビット系列を割当て、残りの２つのリソースブロックに、ターボ符号における２つの冗長系列をそれぞれ割当てることを特徴とする請求項４に記載の通信装置。
【発明の詳細な説明】
【技術分野】
【０００１】
本発明は、ＯＦＤＭ（Orthogonal  Frequency  Division  Multiplex）をベースとした無線アクセス技術を採用する通信装置に関するものであり、特に、送信側においてターボ符号を採用し、受信側で所定の反復復号を行う通信装置に関するものである。
【背景技術】
【０００２】
近年、３ＧＰＰ（The  3rd  Generation  Partnership  Project）において、“Evolved  UTRA（Evolved  Universal  Terrestrial  Radio  Access）”と呼ばれる次世代セルラーの技術仕様策定が行われている（下記非特許文献１参照）。
【０００３】
“Evolved  UTRA”の下りリンクは、ＯＦＤＭＡ（Orthogonal  Frequency  Division  Multiple  Access）ベースの無線アクセスを採用する。ＯＦＤＭＡは、ＯＦＤＭをベースとした無線アクセス技術であり、高速データレートの信号を多数のサブキャリア信号に分割して並列伝送する方式である。
【０００４】
たとえば、ＯＦＤＭを採用する従来の無線通信システムにおいて、基地局送信機では、入力された送信データに対する誤り検出符号（ＣＲＣ：Cyclic  Redundancy  Check）の付加、誤り訂正符号化、レートマッチング、符号系列を所定のリソースブロックに割当てる処理、データ変調（ＱＰＳＫ，１６−ＱＡＭ，６４−ＱＡＭ等）、“Reference  symbol”の多重、逆高速フーリエ変換、および時間波形への“Cyclic  prefix”の付加処理等、が行われ、その後、所定の送信処理が施された信号を送信アンテナから送信している。
【０００５】
なお、上記“Evolved  UTRA”では、誤り訂正符号化方式としてターボ符号が採用されている。このターボ符号は、２個のエンコーダ（Systematic  encoder）を並列連接したもので、一方のエンコーダの入力前段にはインタリーバが設置された構成となっている。
【０００６】
一方、ＯＦＤＭを採用する従来の無線通信システムにおいて、端末受信機では、所定の受信処理が行われた後、“Cyclic  prefix”除去、高速フーリエ変換、“Reference  symbol”による伝送路推定、ユーザデータの位相補償、軟判定復号のためのビット毎の対数尤度比（LLR：Log  Likelihood  Ratio）の演算、受信符号系列作成、誤り訂正復号（ターボ復号）等、が行われている。
【０００７】
なお、ターボ復号については、一般的に反復復号動作が行われる。具体的には、第１のデコーダにて復号演算を行い、その結果に対してインタリーバが所定の並べ替えを行い、その結果を第２のデコーダに受け渡す。その後、第２のデコーダが上記第１のデコーダと同様に復号演算を行った後、デインタリーバが上記インタリーバとは逆の並べ替えを行い、その結果を第１のデコーダに受け渡す。以降、これらの順序で復号演算を繰り返し実行した後、判定部が、第２のデコーダの事後尤度の結果から硬判定を行い、受信データを再生する。
【０００８】
また、上記とは異なる従来技術として、たとえば、下記非特許文献２において、ＯＦＤＭを採用する無線通信システムの一例が開示されている。ここでは、誤り訂正符号としてＬＤＰＣ（Low  Density  Parity  Check）を採用する場合について記載され、たとえば、伝送効率を向上させる手段として、マッピング処理（Physical  channel  mapping）を行う際に符号ビット系列の各ビットの信頼度に応じて符号ビットの割当て先リソースブロックを変更する手法、が開示されている。
【０００９】
【非特許文献１】3GPP  TR  25.814：“Physical  layer  aspects  for  evolved  Universal  Terrestrial  Radio  Access”、Release  7.
【非特許文献２】3GPP  R1-062241：“Ordered  transmission  scheme  for  LDPC-coded  symbols”
【発明の開示】
【発明が解決しようとする課題】
【００１０】
しかしながら、たとえば、ＬＤＰＣ符号を利用した無線通信システムにおいては、符号ビット系列の各ビットの信頼度に応じて符号ビットの割当て先リソースブロックを選択する技術が開示されているが、一方で、ターボ符号を利用した従来の無線通信システムにおいては、そのような技術が開示されていない。
【００１１】
また、“Evolved  UTRA”では、最大伝送速度が１００Ｍｂ／ｓとなり、ターボ復号の負担増大が懸念される。
【００１２】
本発明は、上記に鑑みてなされたものであって、誤り訂正符号としてターボ符号を採用する無線通信システムにおいて、システム性能を向上しつつ、受信側における反復復号回数の低減によるターボ復号の負担軽減（処理量の削減，消費電力の低減）を実現可能な通信装置を得ることを目的とする。
【課題を解決するための手段】
【００１３】
上述した課題を解決し、目的を達成するために、本発明にかかる通信装置は、無線アクセス技術としてＯＦＤＭを採用し、誤り訂正方式としてターボ符号を採用する無線通信システムにおけるデータ受信側の通信装置であって、データ送信側の通信装置により割当てられたリソースブロック毎に、受信符号系列の無線回線品質を測定する品質測定手段と、２つのデコーダを用いて反復復号を行い、送信データを再生する２種類の復号手段と、前記測定結果として得られる無線回線品質に基づいていずれか一方の復号手段を選択する選択手段と、を備え、前記２種類の復号手段と前記選択手段でターボ復号器を形成することを特徴とする。
【発明の効果】
【００１４】
この発明によれば、復号性能の向上を実現しつつ反復回数を低減させることができ、ひいては消費電力の低減を実現することができる、という効果を奏する。
【発明を実施するための最良の形態】
【００１５】
以下に、本発明にかかる通信装置の実施の形態を図面に基づいて詳細に説明する。なお、この実施の形態によりこの発明が限定されるものではない。
【００１６】
実施の形態１．
図１は、本発明にかかる通信装置（送信機）の一例として動作する基地局１の構成を示す図である。本実施の形態においては、マルチキャリア無線伝送の一例として、ＯＦＤＭを採用する無線通信システムを想定する。
【００１７】
図１において、基地局１は、送信データにＣＲＣ（Cyclic  Redundancy  Check）方式による誤り検出符号を付加し、誤り訂正符号化、および符号化ビット系列（符号系列）が物理チャネルにマッピング可能なビット数（レート）となるようにレートマッチング（Puncture  or  Repetition）、を行う符号化部（Coding）１１と、符号化部１１から出力された符号系列を特定のユーザに割当て可能なリソースブロック（周波数領域は、複数のサブキャリア群から構成されるブロックに分割されており、それをリソースブロックと呼ぶ）に割当てるマッピング部（Physical  channel  mapping）１２と、マッピング部１２の出力に対してデータ変調（ＱＰＳＫ，１６−ＱＡＭ，６４−ＱＡＭなど）を行う変調部（Modulation）１３と、変調部１３の出力とリファレンスシンボル（Reference  symbol：共通パイロット信号，ＵＳＥＲ個別のパイロット信号に相当）を多重するＭＵＸ部１４と、ＭＵＸ部１４の出力に対してＩＦＦＴ（逆高速フーリエ変換）を行い、時間軸信号を生成するＩＦＦＴ部１５と、ＩＦＦＴ部１５の出力にサイクリックプレフィックス（Cyclic  prefix）と呼ばれる時間波形を付加するサイクリックプレフィックス付加部（Add  cyclic  prefix）１６と、サイクリックプレフィックス付加部１６から出力される複素ベースバンド信号をアナログ信号に変換するＤＡＣ部１７と、ＤＡＣ部１７の出力を無線周波数に周波数変換する送信部（RF  TX）１８と、送信アンテナ１９と、を備えている。
【００１８】
また、本実施の形態では、誤り訂正符号化方式としてターボ符号を採用する。図２は、上記符号化部１１内のターボ符号器の具体例を示す図である。このターボ符号器は、２個のエンコーダ（Systematic  encoder）１０１，１０３を並列に配置したものであり、エンコーダ１０３の入力前段にはインタリーバ（Π）１０２が配置されている。
【００１９】
たとえば、符号化部１１は、ＵＳＥＲ＃１宛の送信データに対してＣＲＣ方式による誤り検出符号を付加し、ターボ符号化を行う。このとき、符号化部１１は、上記ターボ符号器により生成された符号系列の符号ビット数を、物理チャネルにマッピング可能なビット数とした。
【００２０】
つづいて、本実施の形態の符号化部１１およびマッピング部１２における特徴的な処理を、図面を用いて具体的に説明する。図３は、符号化率Ｒ＝１／３の場合における、符号系列のリソースブロックへの割当て手順を示す図である。
【００２１】
図３において、ＵＳＥＲ＃１宛の送信データｘk（ｋ＝０，１，２，…，Ｋ−１）は、上記ターボ符号器（図２参照）により符号化され、符号系列として、情報ビット系列ｘk，冗長系列ｚk，ｚ'k（ｋ＝０，１，２，…，Ｋ−１）が生成される。この符号系列ｘk，ｚk，ｚ'kは、符号化部１１の出力である。
【００２２】
ここで、ＵＳＥＲ＃１に割当て可能なリソースブロックがＲＢ＃１，ＲＢ＃２，ＲＢ＃３の３つであり、これら３つのＲＢ＃１，ＲＢ＃２，ＲＢ＃３がそれぞれＫビットの情報を送ることができる場合を想定する。この場合、本実施の形態では、マッピング部１２が、ＲＢ＃１に符号系列ｘk，ＲＢ＃２に符号系列ｚk，ＲＢ＃３に符号系列ｚ'kをそれぞれ割当てる。ここでは、ＲＢ＃１，ＲＢ＃２，ＲＢ＃３の無線回線品質はそれぞれ異なっているが、無線回線品質の良し悪しに依らず符号系列を割当てている。
【００２３】
一方、図４は、本発明にかかる通信装置（受信機）の一例として動作する端末２の構成を示す図である。図４において、端末２は、受信アンテナ３１と、無線周波数をベースバンド周波数に周波数変換する受信部（RF  RX）２１と、アナログ信号をデジタルの複素ベースバンド信号に変換するＡＤＣ部２２と、サイクリックプレフィックスの除去およびＦＦＴタイミングの検出を行うサイクリックプレフィックス除去部（Remove  cyclic  prefix）２３と、高速フーリエ変換（ＦＦＴ）により時間信号を周波数軸に変換し、受信データ，リファレンスシンボルを得るＦＦＴ部２４と、ＦＦＴ部２４が出力するリファレンスシンボルに基づいて各ＯＦＤＭシンボルのチャネル推定値を作成し、リソースブロック毎の信号電力推定値Ｐｓおよび干渉電力推定値Ｐｚを作成する伝送路推定部（Channel  estimation）２６と、伝送路推定部２６から入力されるチャネル推定値を用いて同期検波を行う位相補償部（Coherent  detection）２５と、各ＯＦＤＭシンボルについてビット毎の対数尤度比（LLR：Log  Likelihood  Ratio）を計算するＬＬＲ演算部（LLR  calculation）２７と、リソースブロックからＬＬＲを取り出し、受信符号系列を生成するデマッピング部（Physical  channel  de-mapping）２８と、リソースブロック毎の平均受信品質（平均無線回線品質）または符号ビット毎の受信品質（無線回線品質）を測定する品質測定器２９と、２種類の復号手段（復号手段４２と復号手段４３）と品質測定器２９から入力される受信品質に基づいて各復号手段の切り替えを行うスイッチ手段４１とを備え受信符号系列を生成する復号部（Decoding）３０と、を備えている。
【００２４】
また、上記復号部３０において、復号手段４２は、たとえば、図５に示すように構成され、復号手段４３は、たとえば、図６に示すように構成されている。
【００２５】
復号手段４２では、デコーダ（SISO（Soft-In  Soft-Out）  decoder）２０１にて復号演算を行い、その結果に対してインタリーバ２０２が所定の並べ替えを行い、デコーダ２０３に受け渡す。その後、デコーダ２０３が上記デコーダ２０１と同様に復号演算を行った後、デインタリーバ２０４がインタリーバ２０２とは逆の並べ替えを行い、その結果をデコーダ２０１に受け渡す。以降、これらの順序で復号演算を繰り返し実行した後、判定部２０５が、デコーダ２０３の事後尤度の結果から硬判定を行い、受信データを再生する。すなわち、復号手段４２では、「デコーダ２０１→デコーダ２０３」の順で反復復号を行っている。
【００２６】
一方、復号手段４３では、インタリーバ２０２が所定の並べ替えを行い、デコーダ２０３が復号演算を行い、デインタリーバ２０４がインタリーバ２０２とは逆の並べ替えを行った後、さらに、デコーダ２０１が復号演算を行い、その結果をインタリーバ２０２に受け渡す。以降、これらの順序で復号演算を繰り返し実行した後、判定部２０５が、デコーダ２０１の事後尤度の結果から硬判定を行い、受信データを再生する。すなわち、復号手段２では、「デコーダ２０３→デコーダ２０１」の順で反復復号を行っている。
【００２７】
図４において、復号部３０は、符号系列ｘkとｚkの受信品質（無線回線品質）が符号系列ｘkとｚ'kの受信品質よりも良好であれば、スイッチ手段４１を復号手段４２側に切り替え、一方で、符号系列ｘkとｚkの受信品質が符号系列ｘkとｚ'kの受信品質よりも劣悪であれば、スイッチ手段４１を復号手段４３側に切り替えて、復号処理を行う。
【００２８】
たとえば、図３のように、無線回線品質が「ＲＢ＃３＞ＲＢ＃１＞ＲＢ＃２」とした場合、復号部３０では、符号系列ｘkとｚ'kの平均品質が符号系列ｘkとｚkに比べ良好であるので、復号手段４３を選択する。
【００２９】
このように、本実施の形態では、情報ビットとパリティ系列から構成されるターボ符号系列において、復号部が、２つのデコーダを用いて反復復号を行う上記２種類の復号手段を備えることとし、受信品質の良好な符号系列から先に復号処理を実行可能な一方の復号手段を選択することとした。すなわち、選択された復号手段を用いて一方のデコーダが計算した尤度を別のデコーダに入力する処理を繰り返すことにより、判定の信頼度を向上させる反復復号法を行う際に、受信品質の良好な符号系列から先に復号処理を行うこととした。これにより、復号性能の向上を実現しつつ反復回数を低減させることができ、ひいては消費電力の低減を実現することができる。
【００３０】
実施の形態２．
つづいて、実施の形態２の通信装置について説明する。本実施の形態においても、前述同様、ＯＦＤＭを採用する無線通信システムを想定する。ここでは、前述した実施の形態１と異なる構成および処理について説明する。
【００３１】
図７は、本発明にかかる通信装置の一例として動作する基地局１ａの構成を示す図である。図７において、基地局１ａは、通信相手となる端末からフィードバックされるＣＳＩ（Channel  State  Information）に基づいて、符号系列とリソースブロックとを関連付ける規則を生成する、すなわち、ユーザごとのリソースブロックの割当て方法および割当てられたリソースブロック内での符号系列の割当て方法を決定するスケジューラ部（Radio  Resource  Scheduler）５１と、スケジューラ部５１による上記規則に基づいて符号化部（Coding）１１から出力された符号系列を所定のリソースブロックに割当てるマッピング部（Ordered  Physical  channel  mapping）５２と、前述した実施の形態１の多重機能に加えて上記割当て方法を多重するＭＵＸ１４ａと、を備えている。なお、その他の構成については、前述した実施の形態１と同様であるため、同一の符号を付してその説明を省略する。
【００３２】
つづいて、本実施の形態の符号化部１１およびマッピング部５２における特徴的な処理を、図面を用いて具体的に説明する。図８は、符号化率Ｒ＝１／３の場合における、符号系列のリソースブロックへの割当て手順を示す図である。
【００３３】
図８において、ＵＳＥＲ＃１宛の送信データｘk（ｋ＝０，１，２，…，Ｋ−１）は、図２に示すターボ符号器により符号化され、符号系列ｘk，ｚk，ｚ'k（ｋ＝０，１，２，…，Ｋ−１）が生成される。この符号列ｘk，ｚk，ｚ'kは、符号化部１１の出力である。
【００３４】
一方、本実施の形態においては、スケジューラ部５１に、各ユーザからフィードバックされるＣＳＩが入力されている。したがって、本実施の形態では、スケジューラ部５１が、たとえば、注水定理によるスケジューリング結果に基づいて、ＵＳＥＲ＃１にとって最適なリソースブロック群としてＲＢ＃１，ＲＢ＃２，ＲＢ＃３を選択する。さらに、スケジューラ部５１では、ＵＳＥＲ＃１からフィードバックされるＣＳＩに基づいてＲＢ＃１，ＲＢ＃２，ＲＢ＃３の無線回線品質を認識することができるので、マッピング部５２に対して、無線回線品質に基づく符号系列の割当てを指示する。
【００３５】
図８では、スケジューラ部５１からマッピング部５２への指示が、たとえば、最も無線回線品質が良好なＲＢ＃３にターボ符号における最も重要な符号系列ｘkを割当て、残りのＲＢ＃１，ＲＢ＃２にターボ符号におけるパリティ系列ｚk，ｚ'k（ｚk，ｚ'kの符号の重要度は同じ）を割当てる内容（図示の平均Ｃ／Ｎ参照）、であるときの動作が示されている。すなわち、本実施の形態では、マッピング部５２が、ＲＢ＃１に符号系列ｚkを、ＲＢ＃２に符号系列ｚ'kを、ＲＢ＃３に符号系列ｘkを、それぞれ割当てている。
【００３６】
また、図９は、本発明にかかる通信装置（受信機）の一例として動作する端末２ａの構成を示す図である。図９において、端末２ａは、リソースブロックからＬＬＲを取り出し、基地局１ａから事前に報知されている受信符号系列の割当て方法（ＦＦＴ部２４出力）に基づいて受信符号系列を抽出するデマッピング部（Ordered-Physical  channel  de-mapping）６１と、現在のフレームの信号電力推定値Ｐｓ，干渉電力推定値Ｐｚに基づいてリソースブロック毎の無線回線品質を推定し、ＣＳＩを作成する品質測定器２９ａと、を備えている。なお、端末２ａへパケットが連送されている場合は過去に同一のリソースブロック群が割当てられているので、品質測定器２９ａが、リソースブロック毎のＰｓ／Ｐｚを平均化して測定精度を向上させる方法を用いることができる。また、伝送路推定部２６が、ユーザデータを逆変調してレプリカ信号を作成してＰｚ，Ｐｓを求めることもできる。
【００３７】
また、前述した実施の形態１と同様に、復号部３０において、復号手段４２は、たとえば、図５に示すように構成され、復号手段４３は、たとえば、図６に示すように構成されている。
【００３８】
したがって、図９において、復号部３０は、符号系列ｚkの受信品質（無線回線品質）が符号系列ｚ'kの受信品質よりも良好であれば、スイッチ手段４１を復号手段４２側に切り替え、一方で、符号系列ｚkの受信品質が符号系列ｚ'kの受信品質よりも劣悪であれば、スイッチ手段４１を復号手段４３側に切り替えて、復号処理を行う。たとえば、図８のように、無線回線品質が「ＲＢ＃３＞ＲＢ＃１＞ＲＢ＃２」の場合、復号部３０では、符号系列ｚ'kの平均品質が符号系列ｚkに比べ良好であるので、復号手段４３を選択する。
【００３９】
このように、本実施の形態では、基地局１ａが、端末２ａからフィードバックされるＣＳＩに基づいてＵＳＥＲ＃１に対して最適なリソースブロック群を割当て、各リソースブロック群に対してさらに優先順位を付けて、送信処理を行うこととした。また、端末２ａは、基地局１ａから事前に報知されている符号の割当て方法に基づいて所定のデマッピング処理を行い、さらに、実施の形態１と同様に、無線回線品質の測定結果に基づいて復号順序を変更することとした。これにより、実施の形態１と比較して、復号性能をさらに向上させることができ、伴って、反復回数をさらに低減させることができる。
【００４０】
なお、本実施の形態においては、基地局にて割り当てるリソースブロックが端末側において認識する無線通信品質の順で割り当てられていること（リソースブロックがＣＳＩに基づいて割当てられている場合）を前提とし、たとえば、上記無線品質の測定結果によらず、上記基地局１ａから事前に報知されている符号の割当て方法のみに基づいて、復号順序を変更することとしてもよい。この場合、図９は、点線で示す信号が復号部３０に入力され、品質測定器２９ａから復号部３０への信号が削除可能となる。なお、スイッチ手段４１の切り替え処理は上記と同様である。これにより、上記と同様の効果を得ることができる。
【００４１】
また、本実施の形態においては、基地局にて割り当てるリソースブロックが端末側において認識する無線通信品質の順で割り当てられていない場合（リソースブロックがＣＳＩに基づいて割当てられていない場合）を想定し、たとえば、上記無線品質の測定結果および上記基地局１ａから事前に報知されている符号の割当て方法の両方に基づいて、復号順序を変更することとしてもよい。この場合、図９は、点線で示す信号が復号部３０に入力される。たとえば、上記無線通信品質に基づいて判断する復号順序と上記割当て方法に基づいて判断する復号順序が異なる場合、復号部３０は、無線通信品質に基づいて判断する復号順序を採用する。これにより、上記と同様の効果を得ることができる。
【産業上の利用可能性】
【００４２】
以上のように、本発明にかかる通信装置は、ＯＦＤＭをベースとした無線アクセス技術を採用する無線通信システムに有用であり、特に、ターボ符号化を行う送信機および当該符号化に対応する所定の反復復号を行う受信機に適している。
【図面の簡単な説明】
【００４３】
【図１】本発明にかかる通信装置の一例として動作する基地局の構成を示す図である。
【図２】符号化部内のターボ符号器の具体例を示す図である。
【図３】符号系列のリソースブロックへの割当て手順を示す図である。
【図４】本発明にかかる通信装置の一例として動作する端末の構成を示す図である。
【図５】復号手段の構成例を示す図である。
【図６】復号手段の構成例を示す図である。
【図７】本発明にかかる通信装置の一例として動作する基地局の構成を示す図である。
【図８】符号系列のリソースブロックへの割当て手順を示す図である。
【図９】本発明にかかる通信装置の一例として動作する端末の構成を示す図である。
【符号の説明】
【００４４】
１，１ａ  基地局
２，２ａ  端末
１１  符号化部（Coding）
１２  マッピング部（Physical  channel  mapping）
１３  変調部（Modulation）
１４，１４ａ  ＭＵＸ部
１５  ＩＦＦＴ部
１６  サイクリックプレフィックス付加部（Add  cyclic  prefix）
１７  ＤＡＣ部
１８  送信部（RF  TX）
１９  送信アンテナ
２１  受信部（RF  RX）
２２  ＡＤＣ部
２３  サイクリックプレフィックス除去部（Remove  cyclic  prefix）
２４  ＦＦＴ部
２６  伝送路推定部（Channel  estimation）
２５  位相補償部（Coherent  detection）
２７  ＬＬＲ演算部（LLR  calculation）
２８  デマッピング部（Physical  channel  de-mapping）
２９，２９ａ  品質測定器
３１  受信アンテナ
３０  復号部（Decoding）
４１  スイッチ手段
４２，４３  復号手段
５１  スケジューラ部（Radio  Resource  Scheduler）
５２  マッピング部（Ordered  Physical  channel  mapping）
６１  デマッピング部（Ordered-Physical  channel  de-mapping）
１０１，１０３  エンコーダ（Systematic  encoder）
１０２  インタリーバ
２０１，２０３  デコーダ（SISO（Soft-In  Soft-Out）  decoder）
２０２  インタリーバ
２０４  デインタリーバ
２０５  判定部
【図１】
2008187605.tif 000003
【図２】
2008187605.tif 000004
【図３】
2008187605.tif 000005
【図４】
2008187605.tif 000006
【図５】
2008187605.tif 000007
【図６】
2008187605.tif 000008
【図７】
2008187605.tif 000009
【図８】
2008187605.tif 000010
【図９】
2008187605.tif 000011